(57)【要約】【課題】画像の表示条件に適した画像を表示して利用者に提供する。【解決手段】画像を表示する表示システムであって、露光量が互いに異なる複数の画像を撮像する撮像部と、画像の表示条件を検出する表示条件検出部と、表示条件に基づいて、撮像部により撮像された複数の画像から、表示される画像を選択する表示画像選択部と、選択された画像を表示する表示部とを備える表示システムを提供する。また、表示部は、バックライトを有する液晶表示装置であり、表示条件検出部は、表示部が有するバックライトが点灯しているか否かを表示条件として検出し、表示画像選択部は、バックライトが消灯している場合に、バックライトが点灯している場合に比べて、複数の画像のうち、露光量がより多い画像を選択してよい。【選択図】図１
2006157303.tif 000002
【特許請求の範囲】
【請求項１】
画像を表示する表示システムであって、
露光量が互いに異なる複数の画像を撮像する撮像部と、
画像の表示条件を検出する表示条件検出部と、
前記表示条件に基づいて、前記撮像部により撮像された前記複数の画像から、表示される画像を選択する表示画像選択部と、
前記表示画像選択部により選択された画像を表示する表示部と
を備える表示システム。
【請求項２】
前記表示部は、バックライトを有する液晶表示装置であり、
前記表示条件検出部は、前記表示部が有するバックライトが点灯しているか否かを前記表示条件として検出し、
前記表示画像選択部は、前記バックライトが消灯している場合に、前記バックライトが点灯している場合に比べて、前記複数の画像のうち、露光量がより多い画像を選択する
請求項１に記載の表示システム。
【請求項３】
前記表示条件検出部は、前記表示部に照射する外光の光量を前記表示条件として検出し、
前記表示画像選択部は、前記表示部に照射する外光の光量がより多い程、前記複数の画像のうち、露光量がより多い画像を選択する
請求項１に記載の表示システム。
【請求項４】
前記撮像部は、入射光に対する感度が互いに異なる２つの画素が交互に配列されたＣＣＤを用いることにより、露光量が互いに異なる２つの画像を撮像する請求項１に記載の表示システム。
【請求項５】
画像を表示する表示システムであって、
前記画像の表示条件を検出する表示条件検出部と、
前記表示条件に基づいて、前記画像のデータを変換することにより、前記画像の輝度を変更する輝度変更部と、
前記輝度変更部によって輝度が変更された前記画像を表示する表示部と
を備える表示システム。
【請求項６】
前記輝度変更部は、前記画像のデータにおける輝度成分を１ビットシフトさせることにより、前記画像の輝度を変更する請求項５に記載の表示システム。
【請求項７】
画像を表示する表示方法であって、
露光量が互いに異なる複数の画像を撮像する撮像段階と、
画像の表示条件を検出する表示条件検出段階と、
前記表示条件に基づいて、前記撮像段階において撮像された前記複数の画像から、表示される画像を選択する表示画像選択段階と、
前記表示画像選択段階において選択された画像を表示する表示段階と
を備える表示方法。
【請求項８】
画像を表示する表示システムを機能させる表示プログラムであって、
前記表示システムを、
露光量が互いに異なる複数の画像を撮像する撮像部と、
画像の表示条件を検出する表示条件検出部と、
前記表示条件に基づいて、前記撮像部により撮像された前記複数の画像から、表示される画像を選択する表示画像選択部と、
前記表示画像選択部により選択された画像を表示する表示部と
を備える表示システムとして機能させる表示プログラム。
【請求項９】
画像を表示する表示方法であって、
前記画像の表示条件を検出する表示条件検出段階と、
前記表示条件に基づいて、前記画像のデータを変換することにより、前記画像の輝度を変更する輝度変更段階と、
前記輝度変更段階において輝度が変更された前記画像を表示する表示段階と
を備える表示方法。
【請求項１０】
画像を表示する表示システムを機能させる表示プログラムであって、
前記表示システムを、
前記画像の表示条件を検出する表示条件検出部と、
前記表示条件に基づいて、前記画像のデータを変換することにより、前記画像の輝度を変更する輝度変更部と、
前記輝度変更部によって輝度が変更された前記画像を表示する表示部と
を備える表示システムとして機能させる表示プログラム。
【発明の詳細な説明】
【技術分野】
【０００１】
本発明は、表示システム、表示方法、及び表示プログラムに関する。特に本発明は、画像を表示する表示システム、表示方法、及び表示プログラムに関する。
【背景技術】
【０００２】
従来、照度特性の異なる２つのイメージセンサを用いて画像を撮像し、画像の部分領域毎に、２つのイメージセンサで撮像された部分画像のうち、よりコントラストの高い部分画像を選択して、画像全体で合成することにより、画像全体でコントラストの高い画像を取得する技術が知られている（例えば、特許文献１参照。）。
【特許文献１】特開２００３−４６８４３
【発明の開示】
【発明が解決しようとする課題】
【０００３】
しかしながら、撮像時にコントラストの高い部分画像を選択した場合であっても、画像を表示する条件によっては、選択した部分画像が、常に最適な画像であるとは限らず、利用者にとって見づらい画像である場合がある。例えば、選択した画像が、通常の表示条件の下では利用者が見やすいと感じる画像であっても、外光の光量が多い環境下では、利用者にとって見づらい画像である場合がある。
【０００４】
そこで本発明は、上記の課題を解決することができる表示システム、表示方法、及び表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、画像を表示する表示システムであって、露光量が互いに異なる複数の画像を撮像する撮像部と、画像の表示条件を検出する表示条件検出部と、表示条件に基づいて、撮像部により撮像された複数の画像から、表示される画像を選択する表示画像選択部と、表示画像選択部により選択された画像を表示する表示部とを備える。
【０００６】
表示部は、バックライトを有する液晶表示装置であり、表示条件検出部は、表示部が有するバックライトが点灯しているか否かを表示条件として検出し、表示画像選択部は、バックライトが消灯している場合に、バックライトが点灯している場合に比べて、複数の画像のうち、露光量がより多い画像を選択してもよい。表示条件検出部は、表示部に照射する外光の光量を表示条件として検出し、表示画像選択部は、表示部に照射する外光の光量がより多い程、複数の画像のうち、露光量がより多い画像を選択してもよい。撮像部は、入射光に対する感度が互いに異なる２つの画素が交互に配列されたＣＣＤを用いることにより、露光量が互いに異なる２つの画像を撮像してもよい。
【０００７】
また、本発明の第２の形態においては、画像を表示する表示システムであって、画像の表示条件を検出する表示条件検出部と、表示条件に基づいて、画像のデータを変換することにより、画像の輝度を変更する輝度変更部と、輝度変更部によって輝度が変更された画像を表示する表示部とを備える。輝度変更部は、画像のデータにおける輝度成分を１ビットシフトさせることにより、画像の輝度を変更してもよい。
【０００８】
また、本発明の第３の形態においては、画像を表示する表示方法であって、露光量が互いに異なる複数の画像を撮像する撮像段階と、画像の表示条件を検出する表示条件検出段階と、表示条件に基づいて、撮像段階において撮像された複数の画像から、表示される画像を選択する表示画像選択段階と、表示画像選択段階において選択された画像を表示する表示段階とを備える。
【０００９】
また、本発明の第４の形態においては、画像を表示する表示システムを機能させる表示プログラムであって、表示システムを、露光量が互いに異なる複数の画像を撮像する撮像部と、画像の表示条件を検出する表示条件検出部と、表示条件に基づいて、撮像部により撮像された複数の画像から、表示される画像を選択する表示画像選択部と、表示画像選択部により選択された画像を表示する表示部とを備える表示システムとして機能させる。
【００１０】
また、本発明の第５の形態においては、画像を表示する表示方法であって、画像の表示条件を検出する表示条件検出段階と、表示条件に基づいて、画像のデータを変換することにより、画像の輝度を変更する輝度変更段階と、輝度変更段階において輝度が変更された画像を表示する表示段階とを備える。
【００１１】
また、本発明の第６の形態においては、画像を表示する表示システムを機能させる表示プログラムであって、表示システムを、画像の表示条件を検出する表示条件検出部と、表示条件に基づいて、画像のデータを変換することにより、画像の輝度を変更する輝度変更部と、輝度変更部によって輝度が変更された画像を表示する表示部とを備える表示システムとして機能させる。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、画像の表示条件に適した画像を表示して、利用者に提供することができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の第１の実施形態に係る表示システム１０の構成の一例を示すブロック図である。表示システム１０は、撮像部１００、画像格納部１１０、測光部１２０、表示条件検出部１３０、表示画像選択部１４０、及び表示部１５０を備える。表示システム１０は、撮像部１００を用いて撮像した画像を、表示部１５０を用いて表示する。
【００１６】
本発明の第１の実施形態に係る表示システム１０は、例えば表示部１５０の表示画面に照射している外光の光量といった表示条件に基づいて、利用者にとって最も見やすい画像を表示することを目的とする。
【００１７】
撮像部１００は、例えばデジタルカメラであり、露光量が互いに異なる複数の画像を撮像し、撮像した画像を画像格納部１１０に出力する。画像格納部１１０は、撮像部１００によって撮像された画像を格納する。画像格納部１１０は、例えばＤＲＡＭ等の揮発性メモリであってよく、また、例えばフラッシュメモリ等の不揮発性メモリや、その他の記録媒体もしくは記憶装置であってもよい。測光部１２０は、例えば測光センサであってよく、表示部１５０に照射する外光の光量、具体的には、表示部１５０の表示画面に照射する外光の光量を測定し、測定した光量を示す情報を表示条件検出部１３０に出力する。
【００１８】
表示条件検出部１３０は、表示部１５０における画像の表示条件を検出する。例えば、表示部１５０がバックライトを有する液晶表示装置である場合に、表示条件検出部１３０は、表示部１５０が有するバックライトが点灯しているか否かを表示条件として検出してよい。ここで、表示条件検出部１３０は、表示部１５０が有するバックライトが点灯しているか否かを、表示部１５０におけるバックライトの点灯を制御している制御手段から、バックライトの点灯状態を示す情報を取得することにより検出してよく、また、バックライトの近傍に設けられた測光センサが測定した光量が予め定められた基準値以上であるか否かにより検出してもよい。また、例えば、表示条件検出部１３０は、測光部１２０から受け取った情報により示される、表示部１５０に照射する外光の光量を、表示条件として検出してもよい。そして、表示条件検出部１３０は、検出した表示条件を示す情報を、表示画像選択部１４０に出力する。
【００１９】
表示画像選択部１４０は、表示条件検出部１３０により検出された表示条件に基づいて、撮像部１００により撮像され、画像格納部１１０に格納されている複数の画像から、表示部１５０により表示される画像を選択する。具体的には、表示画像選択部１４０は、複数の画像のうち、検出された表示条件の下で、利用者が最も見やすいと感じる画像を選択する。例えば、表示部１５０がバックライトを有する液晶表示装置である場合において、表示画像選択部１４０は、バックライトが消灯している場合に、バックライトが点灯している場合に比べて、複数の画像のうち、露光量がより多い画像を選択してよい。また、例えば、表示画像選択部１４０は、表示部１５０に照射する外光の光量がより多い程、複数の画像のうち、露光量がより多い画像を選択してもよい。そして、表示画像選択部１４０は、選択した画像を表示部１５０に出力する。表示部１５０は、例えばＬＣＤパネルを用いた液晶表示装置であってよく、表示画像選択部１４０により選択された画像を表示する。
【００２０】
一般に、液晶表示装置におけるバックライトの点灯の有無や、外光の光量といった表示条件によって、利用者が見やすいと感じる画像の明るさは異なる。しかし、本発明の第１の実施形態に係る表示システム１０によれば、露光時間の異なる複数の画像を撮像すると共に、撮像した複数の画像のうち、画像を表示する時点における表示条件の下で、利用者が最も見やすいと感じる画像を表示することができる。
【００２１】
図２は、本発明の第１の実施形態に係る表示システム１０における処理の流れの一例を示すフローチャートである。まず、撮像部１００は、露光量が互いに異なる複数の画像を撮像する（Ｓ１０００）。ここで、撮像部１００は、例えばスーパーＣＣＤハニカム（ＴＭ）ＩＶＳＲ等の、入射光に対する感度が互いに異なる２つの画素が交互に配列されたＣＣＤを用いることにより、露光量が互いに異なる２つの画像を撮像してよい。これにより、露光時間の異なる２つの画像のそれぞれを、略同一の時刻に撮像することができるので、撮像した２つの画像における内容の差異を、最小限に抑えることができる。従って、露光時間の異なる画像を表示条件に応じて切り替えて表示する場合であっても、利用者に違和感を抱かせることなく、画像を表示することができる。また、これに代えて、撮像部１００は、露光時間を変化させながら、複数の画像を連続して撮像することにより、露光時間の異なる複数の画像を撮像してもよい。
【００２２】
続いて、画像格納部１１０は、撮像された画像を格納する（Ｓ１０１０）。続いて、表示条件検出部１３０は、表示部１５０における画像の表示条件を検出する（Ｓ１０２０）。続いて、表示画像選択部１４０は、検出された表示条件に基づいて、撮像された複数の画像から、表示部１５０により表示される画像を選択する（Ｓ１０３０）。そして、表示部１５０は、選択された画像を表示する（Ｓ１０４０）。
【００２３】
図３は、本発明の第２の実施形態に係る表示システム２０の構成の一例を示すブロック図である。表示システム２０は、画像格納部２１０、測光部１２０、表示条件検出部１３０、輝度変更部２４０、及び表示部１５０を備える。表示システム２０は、画像格納部２１０に格納されている画像を、表示部１５０を用いて表示する。
【００２４】
本発明の第２の実施形態に係る表示システム２０は、例えば表示部１５０の表示画面に照射している外光の光量といった表示条件に基づいて、利用者にとって最も見やすい画像を表示することを目的とする。
【００２５】
なお、本図に示した表示システム２０が備える部材のうち、図１に示した表示システム１０が備える部材と同一の符号を付した部材は、図１に示した部材と略同一の機能を有するので、相違点を除き、説明を省略する。
【００２６】
画像格納部２１０は、表示部１５０により表示される画像を格納している。画像格納部２１０は、例えばＤＲＡＭ等の揮発性メモリであってよく、また、例えばフラッシュメモリ等の不揮発性メモリや、その他の記録媒体もしくは記憶装置であってもよい。輝度変更部２４０は、表示条件検出部１３０により検出された表示条件に基づいて、画像格納部２１０に格納されている画像のデータを変換することにより、当該画像の輝度を変更する。具体的には、輝度変更部２４０は、画像格納部２１０に格納されている画像の輝度を、検出された表示条件の下で、利用者が最も見やすいと感じる輝度に変更するべく、当該画像のデータを変換する。例えば、表示部１５０がバックライトを有する液晶表示装置である場合において、輝度変更部２４０は、バックライトが消灯している場合に、バックライトが点灯している場合に比べて、画像の輝度をより高くするべく、画像のデータを変換してよい。また、例えば、輝度変更部２４０は、表示部１５０に照射する外光の光量がより多い程、画像の輝度をより高くするべく、画像のデータを変換してもよい。そして、輝度変更部２４０は、輝度を変更した画像を、表示部１５０に出力する。表示部１５０は、輝度変更部２４０によって輝度が変更された画像を表示する。
【００２７】
本発明の第２の実施形態に係る表示システム１０によれば、画像を表示する時点における表示条件の下で、利用者が最も見やすいと感じるように画像の輝度を変更して表示することができる。
【００２８】
図４は、本発明の第２の実施形態に係る表示システム２０における処理の流れの一例を示すフローチャートである。まず、表示条件検出部１３０は、表示部１５０における画像の表示条件を検出する（Ｓ１１００）。続いて、輝度変更部２４０は、検出された表示条件に基づいて、画像格納部２１０に格納されている画像のデータを変換することにより、当該画像の輝度を変更する（Ｓ１１１０）。例えば、輝度変更部２４０は、画像格納部２１０に格納されている画像のデータをＹ、Ｃｒ、Ｃｂの各成分に分解すると共に、Ｙ成分つまり輝度成分を１ビットシフトさせることにより、当該画像の輝度を変更してよい。画像のデータに含まれる成分を１ビットシフトさせる処理は、画像の内容に関わらず容易かつ高速に実行することができるので、表示条件の変化に対する画像の輝度変化の応答性を向上させることができる。そして、表示部１５０は、輝度が変更された画像を表示する（Ｓ１１２０）。
【００２９】
図５は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００３０】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００３１】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００３２】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００３３】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図４にかけて説明した表示システム１０または表示システム２０として機能させる。
【００３４】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００３５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３６】
【図１】本発明の第１の実施形態に係る表示システム１０の構成の一例を示すブロック図である。
【図２】本発明の第１の実施形態に係る表示システム１０における処理の流れの一例を示すフローチャートである。
【図３】本発明の第２の実施形態に係る表示システム２０の構成の一例を示すブロック図である。
【図４】本発明の第２の実施形態に係る表示システム２０における処理の流れの一例を示すフローチャートである。
【図５】本発明の実施形態に係るコンピュータ１５００のハードウェア構成の一例を示すブロック図である。
【符号の説明】
【００３７】
１０  表示システム、２０  表示システム、１００  撮像部、１１０  画像格納部、１２０  測光部、１３０  表示条件検出部、１４０  表示画像選択部、１５０  表示部、２１０  画像格納部、２４０  輝度変更部
【図１】
2006157303.tif 000003
【図２】
2006157303.tif 000004
【図３】
2006157303.tif 000005
【図４】
2006157303.tif 000006
【図５】
2006157303.tif 000007